(57)【要約】【課題】本発明は組立式運動アームバッグを開示した。【解決手段】本発明は組立式運動アームバッグを開示し、アームバンド装置及び前記アームバンド装置と組み立てられる収納バッグを含み、前記アームバンド装置は前固定バンドと、後固定バンドと、前記前固定バンドに設置される固定機構とを含み、前記前固定バンドと前記後固定バンドとが密着し、本発明は結構が簡単で、使用が便利で、遮り機構をアームバンドに取り付けることで運動中に日焼け防止の効果に至り、日焼け防止傘は手で持つ必要なく、使用者が運動するのを邪魔せず、同時に本発明は使用過程中にはニーズに応じて相応の部品を組み立て、アームバッグの実用性を大きく高める。【選択図】図１
2020175080.tif 000002
【特許請求の範囲】
【請求項１】
組立式運動アームバッグであって、アームバンド装置及び前記アームバンド装置と組み立てられる収納バッグを含み、前記アームバンド装置は前固定バンドと、後固定バンドと、前記前固定バンドに設置される固定機構とを含み、前記前固定バンドと前記後固定バンドとが密着し、前記前固定バンドと前記後固定バンドの間には上下に貫通する組立穴が設置されており、前記収納バッグの後端面には組立ボードが設置されており、前記組立ボードは一定な弾性があり、前記収納バッグの後端面には固定引掛り溝が設置されており、前記組立ボードは前記組立穴を通じて前記固定引掛り溝と係合されて係止でき、前記固定機構の中には前記前固定バンドの前端面に固定的に設置される調節ブロックを含み、前記調節ブロックの中には調節チャンバが設置されており、前記調節チャンバの中には歯車軸が回転できるように設置されており、前記歯車軸には歯車が固定的に設置されており、前記歯車の上端には取付ブロックが固定的に設置されており、前記取付ブロックの中には取付穴が設置されており、前記固定棒状体が前記取付穴の中に差し込む時に固定を実現でき、前記調節ブロックの中にはリードスクリューチャンバが設置されており、前記リードスクリューの中にはリードスクリューが回転できるように設置されており、前記リードスクリューチャンバの底壁にはレイルが設置されており、前記レイルの中にはガイドブロックがスライドできるように設置されており、前記ガイドブロックには前記リードスクリューとネジ山により係合されるラックが接続されており、前記ラックと前記歯車とが噛み合い、前記リードスクリューのうち前記調節ブロックの右側に伸びている一端にはノブが固定的に設置されており、前記アームバンド装置には遮り装置を組み立てることができ、前記遮り装置の中には連接機構と、傘布と、シャフトと、ハンドルとを含み、前記傘布と、前記ハンドルは一本の傘に組み立て、傘を前記連接機構の中に固定でき、前記連接機構には前記固定機構と係合できる固定棒状体が設置されており、前記固定棒状体には左右に貫通する固定穴が設置されており、前記固定棒状体を前記取付穴の中に差し込むと固定を実現でき、前記ノブを回すことで角度を調節できることを特徴とする組立式運動アームバッグ。
【請求項２】
前記取付ブロックの中にはスライドチャンバが設置されており、前記スライドチャンバの左壁にはスライド溝が設置されており、前記スライド溝の中にはスライダがスライドできるように設置されており、前記スライダと前記スライド溝の底壁の間には戻し撥条が接続されており、前記スライドブロックの右端面には中間棒が接続されており、前記中間棒の上端面には前記取付穴の中に伸びている支持棒が固定的に設置されており、前記取付ブロックの中には前記取付穴と連通する収納溝が接続されており、前記収納溝は前記スライドチャンバと連通し、前記中間棒の上端面には前記収納溝の中に伸びている位置制限棒が固定的に設置されており、前記収納溝の中には差込棒状体がスライドできるように設置されており、前記差込棒状体の下端面には位置制限溝が設置されており、前記位置制限棒が前記位置制限溝の中に差し込み、前記差込棒状体と前記収納溝の右壁の間には力蓄え撥条が接続されており、前記差込棒状体の右端面には外部に伸びている連接棒が固定的に設置されており、前記連接棒のうち外部に位置する一端にはボタンが固定的に設置されており、前記固定棒状体が前記取付穴の中に差し込むと前記支持棒が下へ押えられ、前記位置制限棒は前記位置制限溝と離脱し、前記差込棒状体は前記力蓄え撥条によって前記固定穴の中に差し込んで固定することを特徴とする請求項１に記載の組立式運動アームバッグ。
【請求項３】
前記連接機構はメイン固定ボード及び副固定ボードを含み、前記副固定ボードと前記メイン固定ボードの間が蝶番によって接続されており、前記メイン固定ボードと副固定ボードの中には置き槽が設置されており、前記メイン固定ボードと前記副固定ボードには位置決めブロックが固定的に設置されており、前記位置決めブロックの中には上下に貫通する位置決め溝が設置されており、前記メイン固定ボードには係合引掛り溝が設置されており、前記副固定ボードにはロックブロックが設置されており、前記副固定ボードには前記ロックブロックを制御できるスイッチが設置されており、使用する時、前記ハンドルを前記置き槽の中に置き、前記メイン固定ボードを前記副固定ボードと密着させて前記係合引掛り溝を前記ロックブロックと係合して係止させ、前記傘ロッドを前記位置決め溝の中に置き、充分に固定して揺れるのを防止できることを特徴とする請求項１に記載の組立式運動アームバッグ。
【請求項４】
前記収納バッグにはファスナーが設置されていることを特徴とする請求項１に記載の組立式運動アームバッグ。
【発明の詳細な説明】
【技術分野】
【０００１】
本発明はアームバッグ技術分野を取り上げて、具体的には組立式運動アームバッグである。
【背景技術】
【０００２】
日光が充分な天気に運動すれば日焼け防止する必要あり、運動中には汗がかくため日焼け止めが効果を発揮しにくく、それに運動中には傘をさして日焼け防止するのも難しく、日焼け防止功能とアームバッグとを合わせれば上記問題を解決できる。
【先行技術文献】
【特許文献】
【０００３】
【特許文献１】中国特許出願公開第１０９０４３７６３号明細書
【発明の概要】
【発明が解決しようとする課題】
【０００４】
上記技術の不足に対して、本発明は組立式運動アームバッグを提出し、上記欠点を克服する。
【課題を解決するための手段】
【０００５】
本発明装置の組立式運動アームバッグはアームバンド装置及び前記アームバンド装置と組み立てられる収納バッグを含み、前記アームバンド装置は前固定バンドと、後固定バンドと、前記前固定バンドに設置される固定機構とを含み、前記前固定バンドと前記後固定バンドとが密着し、前記前固定バンドと前記後固定バンドの間には上下に貫通する組立穴が設置されており、前記収納バッグの後端面には組立ボードが設置されており、前記組立ボードは一定な弾性があり、前記収納バッグの後端面には固定引掛り溝が設置されており、前記組立ボードは前記組立穴を通じて前記固定引掛り溝と係合されて係止でき、前記固定機構の中には前記前固定バンドの前端面に固定的に設置される調節ブロックを含み、前記調節ブロックの中には調節チャンバが設置されており、前記調節チャンバの中には歯車軸が回転できるように設置されており、前記歯車軸には歯車が固定的に設置されており、前記歯車の上端には取付ブロックが固定的に設置されており、前記取付ブロックの中には取付穴が設置されており、前記固定棒状体が前記取付穴の中に差し込む時に固定を実現でき、前記調節ブロックの中にはリードスクリューチャンバが設置されており、前記リードスクリューの中にはリードスクリューが回転できるように設置されており、前記リードスクリューチャンバの底壁にはレイルが設置されており、前記レイルの中にはガイドブロックがスライドできるように設置されており、前記ガイドブロックには前記リードスクリューとネジ山により係合されるラックが接続されており、前記ラックと前記歯車とが噛み合い、前記リードスクリューのうち前記調節ブロックの右側に伸びている一端にはノブが固定的に設置されており、前記アームバンド装置には遮り装置を組み立てることができ、前記遮り装置の中には連接機構と、傘布と、シャフトと、ハンドルとを含み、前記傘布と、前記ハンドルは一本の傘に組み立て、傘を前記連接機構の中に固定でき、前記連接機構には前記固定機構と係合できる固定棒状体が設置されており、前記固定棒状体には左右に貫通する固定穴が設置されており、前記固定棒状体を前記取付穴の中に差し込むと固定を実現でき、前記ノブを回すことで角度を調節できる。
【０００６】
更なる技術方案、前記取付ブロックの中にはスライドチャンバが設置されており、前記スライドチャンバの左壁にはスライド溝が設置されており、前記スライド溝の中にはスライダがスライドできるように設置されており、前記スライダと前記スライド溝の底壁の間には戻し撥条が接続されており、前記スライドブロックの右端面には中間棒が接続されており、前記中間棒の上端面には前記取付穴の中に伸びている支持棒が固定的に設置されており、前記取付ブロックの中には前記取付穴と連通する収納溝が接続されており、前記収納溝は前記スライドチャンバと連通し、前記中間棒の上端面には前記収納溝の中に伸びている位置制限棒が固定的に設置されており、前記収納溝の中には差込棒状体がスライドできるように設置されており、前記差込棒状体の下端面には位置制限溝が設置されており、前記位置制限棒が前記位置制限溝の中に差し込み、前記差込棒状体と前記収納溝の右壁の間には力蓄え撥条が接続されており、前記差込棒状体の右端面には外部に伸びている連接棒が固定的に設置されており、前記連接棒のうち外部に位置する一端にはボタンが固定的に設置されており、前記固定棒状体が前記取付穴の中に差し込むと前記支持棒が下へ押えられ、前記位置制限棒は前記位置制限溝と離脱し、前記差込棒状体は前記力蓄え撥条によって前記固定穴の中に差し込んで固定する。
【０００７】
更なる技術方案、前記連接機構はメイン固定ボード及び副固定ボードを含み、前記副固定ボードと前記メイン固定ボードの間が蝶番によって接続されており、前記メイン固定ボードと副固定ボードの中には置き槽が設置されており、前記メイン固定ボードと前記副固定ボードには位置決めブロックが固定的に設置されており、前記位置決めブロックの中には上下に貫通する位置決め溝が設置されており、前記メイン固定ボードには係合引掛り溝が設置されており、前記副固定ボードにはロックブロックが設置されており、前記副固定ボードには前記ロックブロックを制御できるスイッチが設置されており、使用する時、前記ハンドルを前記置き槽の中に置き、前記メイン固定ボードを前記副固定ボードと密着させて前記係合引掛り溝を前記ロックブロックと係合して係止させ、前記傘ロッドを前記位置決め溝の中に置き、充分に固定して揺れるのを防止できる。
【０００８】
更なる技術方案、前記収納バッグにはファスナーが設置されている。
【発明の効果】
【０００９】
本発明の有益な効果は下記の通りである：
【００１０】
本発明は結構が簡単で、使用が便利で、遮り機構をアームバンドに取り付けることで運動中に日焼け防止の効果に至り、日焼け防止傘は手で持つ必要なく、使用者が運動するのを邪魔せず、同時に本発明は使用過程中にはニーズに応じて相応の部品を組み立て、アームバッグの実用性を大きく高める。
【図面の簡単な説明】
【００１１】
以下、図１−７について本発明を詳しく説明し、便利に叙述するように、現在は後文に出る方位を下記の通りに規定する：後文に出る上下左右前後方向は図１本体の投影関係の上下左右前後方向と一致する。
【図１】図１は本発明の組立式運動アームバッグの全体構成模式図
【図２】図２は図１の中の遮り装置１００の構成模式図
【図３】図３は図２の中の連接機構１０１の構成模式図
【図４】図４は図１のアームバンド装置２００の構成模式図
【図５】図５は図４のＡ−Ａの構成模式図
【図６】図６は図４のＢ−Ｂの構成模式図
【図７】図７は図４の背面図
【発明を実施するための形態】
【００１２】
以下は付図説明と実施例を結合して、本発明に対してさらなる説明し、本発明の方式は以下の実施例を含みだがそれに限らない。
【００１３】
図１−７に示されるように、本発明装置の組立式運動アームバッグはアームバンド装置２００及び前記アームバンド装置２００と組み立てられる収納バッグ１５を含み、前記アームバンド装置２００は前固定バンド１３と、後固定バンド５２と、前記前固定バンド１３に設置される固定機構２０１とを含み、前記前固定バンド１３と前記後固定バンド５２とが密着し、前記前固定バンド１３と前記後固定バンド５２の間には上下に貫通する組立穴５０が設置されており、前記収納バッグ１５の後端面には組立ボード５１が設置されており、前記組立ボード５１は一定な弾性があり、前記収納バッグ１５の後端面には固定引掛り溝５３が設置されており、前記組立ボード５１は前記組立穴５０を通じて前記固定引掛り溝５３と係合されて係止でき、前記固定機構２０１の中には前記前固定バンド１３の前端面に固定的に設置される調節ブロック２４を含み、前記調節ブロック２４の中には調節チャンバ４２が設置されており、前記調節チャンバ４２の中には歯車軸３６が回転できるように設置されており、前記歯車軸３６には歯車３７が固定的に設置されており、前記歯車３７の上端には取付ブロック２５が固定的に設置されており、前記取付ブロック２５の中には取付穴２６が設置されており、前記固定棒状体１７が前記取付穴２６の中に差し込む時に固定を実現でき、前記調節ブロック２４の中にはリードスクリューチャンバ４３が設置されており、前記リードスクリュー４３の中にはリードスクリュー４７が回転できるように設置されており、前記リードスクリューチャンバ４３の底壁にはレイル４４が設置されており、前記レイル４４の中にはガイドブロック４５がスライドできるように設置されており、前記ガイドブロック４５には前記リードスクリュー４７とネジ山により係合されるラック４６が接続されており、前記ラックと前記歯車３７とが噛み合い、前記リードスクリュー４７のうち前記調節ブロック２４の右側に伸びている一端にはノブ４８が固定的に設置されており、前記アームバンド装置２００には遮り装置１００を組み立てることができ、前記遮り装置１００の中には連接機構１０１と、傘布１０と、シャフト１１と、ハンドル５４とを含み、前記傘布１０と、前記ハンドル５４は一本の傘に組み立て、傘を前記連接機構１０１の中に固定でき、前記連接機構１０１には前記固定機構２０１と係合できる固定棒状体１７が設置されており、前記固定棒状体１７には左右に貫通する固定穴１６が設置されており、前記固定棒状体１７を前記取付穴２６の中に差し込むと固定を実現でき、前記ノブ４８を回すことで角度を調節できる。
【００１４】
有益なように、前記取付ブロック２５の中にはスライドチャンバ３５が設置されており、前記スライドチャンバ３５の左壁にはスライド溝４１が設置されており、前記スライド溝４１の中にはスライダ４０がスライドできるように設置されており、前記スライダ４０と前記スライド溝４１の底壁の間には戻し撥条３９が接続されており、前記スライドブロック４０の右端面には中間棒３８が接続されており、前記中間棒３８の上端面には前記取付穴２６の中に伸びている支持棒４９が固定的に設置されており、前記取付ブロック２５の中には前記取付穴２６と連通する収納溝２７が接続されており、前記収納溝２７は前記スライドチャンバ３５と連通し、前記中間棒３８の上端面には前記収納溝２７の中に伸びている位置制限棒３４が固定的に設置されており、前記収納溝２７の中には差込棒状体２８がスライドできるように設置されており、前記差込棒状体２８の下端面には位置制限溝３３が設置されており、前記位置制限棒３４が前記位置制限溝３３の中に差し込み、前記差込棒状体２８と前記収納溝２７の右壁の間には力蓄え撥条２９が接続されており、前記差込棒状体２８の右端面には外部に伸びている連接棒３２が固定的に設置されており、前記連接棒３２のうち外部に位置する一端にはボタン３１が固定的に設置されており、前記固定棒状体１７が前記取付穴２６の中に差し込むと前記支持棒４９が下へ押えられ、前記位置制限棒３４は前記位置制限溝３３と離脱し、前記差込棒状体２８は前記力蓄え撥条２９によって前記固定穴１６の中に差し込んで固定する。
【００１５】
有益なように、前記連接機構１０１はメイン固定ボード５７及び副固定ボード５８を含み、前記副固定ボード５８と前記メイン固定ボード５７の間が蝶番１９によって接続されており、前記メイン固定ボード５７と副固定ボード５８の中には置き槽２２が設置されており、前記メイン固定ボード５７と前記副固定ボード５８には位置決めブロック２１が固定的に設置されており、前記位置決めブロック２１の中には上下に貫通する位置決め溝２０が設置されており、前記メイン固定ボード５７には係合引掛り溝２３が設置されており、前記副固定ボード５８にはロックブロック１８が設置されており、前記副固定ボード５８には前記ロックブロック１８を制御できるスイッチ５５が設置されており、使用する時、前記ハンドル５４を前記置き槽２２の中に置き、前記メイン固定ボード５７を前記副固定ボードと密着させて前記係合引掛り溝２３を前記ロックブロック１８と係合して係止させ、前記傘ロッド１１を前記位置決め溝２０の中に置き、充分に固定して揺れるのを防止できる。
【００１６】
有益なように、前記収納バッグ１５にはファスナー１２が設置されている。
【００１７】
前記組立式運動アームバッグの実現する方法は、以下順序を含み：
【００１８】
使用する時、ニーズに応じて前記遮り装置１００又は前記収納バッグ１５を前記アームバンド２００に組み立て、収納バッグ１５を組み立てる時、前記組立ボード５１を前記組立穴５０の中に差し込み、前記組立ボード５１の下端を前記固定引掛り溝５３と係合して固定させ、前記ハンドル５４を前記置き槽２２の中に置き、前記シャフト１１を前記位置決め溝２０の中に置き、前記係合引掛り溝２３を前記ロックブロック１８と係合して係止させ、前記固定棒状体１７を前記取付穴２６の中に差し込み、前記固定棒状体１７は前記支持棒４９を下に押え、前記支持棒４９は前記中間棒３８によって前記位置制限棒３４を下降連動させ、前記位置制限棒３４と前記位置制限溝３３とが離脱し、前記差込棒状体２８は前記力蓄え撥条２９によって前記固定穴１６に差し込んで固定し、前記前固定バンド１３と前記後固定バンド５２をアームに固定すれば使用でき、前記傘布１０の遮り角度を調整する時、前記ノブ４８を回して前記リードスクリュー４７を回転連動させ、前記リードスクリュー４７は前記ラック４６を移動連動させ、前記歯車３７が前記取付ブロック２５を回転連動させ、角度調整を実現する。
【００１９】
前記収納バッグ１５を外す時、前記組立ボード５１と前記固定引掛り溝５３を離脱させれば前記収納バッグ１５を取り外せる；
【００２０】
前記遮り装置１００を外す時、前記ボタン３１を外へ引っ張って前記連接棒３２によって前記収納溝２７を前記固定穴１６と離脱させ、前記固定棒状体を引き出し、前記戻し撥条３９が前記中間棒３８を押えて前記位置制限棒３４を前記位置制限溝３３の中に差し込み連動させ、前記スイッチ５５を押して前記ロックブロック１８を前記係合引掛り溝２３と離脱させ、傘を取り出せばいい。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020175080.tif 000003
【図２】
2020175080.tif 000004
【図３】
2020175080.tif 000005
【図４】
2020175080.tif 000006
【図５】
2020175080.tif 000007
【図６】
2020175080.tif 000008
【図７】
2020175080.tif 000009
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
組立式運動アームバッグであって、アームバンド装置及び前記アームバンド装置と組み立てられる収納バッグを含み、前記アームバンド装置は前固定バンドと、後固定バンドと、前記前固定バンドに設置される固定機構とを含み、前記前固定バンドと前記後固定バンドとが密着し、前記前固定バンドと前記後固定バンドの間には上下に貫通する組立穴が設置されており、前記収納バッグの後端面には組立ボードが設置されており、前記組立ボードは一定な弾性があり、前記収納バッグの後端面には固定引掛り溝が設置されており、前記組立ボードは前記組立穴を通じて前記固定引掛り溝と係合されて係止でき、前記固定機構の中には前記前固定バンドの前端面に固定的に設置される調節ブロックを含み、前記調節ブロックの中には調節チャンバが設置されており、前記調節チャンバの中には歯車軸が回転できるように設置されており、前記歯車軸には歯車が固定的に設置されており、前記歯車の上端には取付ブロックが固定的に設置されており、前記取付ブロックの中には取付穴が設置されており、前記調節ブロックの中にはリードスクリューチャンバが設置されており、前記リードスクリューの中にはリードスクリューが回転できるように設置されており、前記リードスクリューチャンバの底壁にはレイルが設置されており、前記レイルの中にはガイドブロックがスライドできるように設置されており、前記ガイドブロックには前記リードスクリューとネジ山により係合されるラックが接続されており、前記ラックと前記歯車とが噛み合い、前記リードスクリューのうち前記調節ブロックの右側に伸びている一端にはノブが固定的に設置されており、前記アームバンド装置には遮り装置を組み立てることができ、前記遮り装置の中には連接機構と、傘布と、シャフトと、ハンドルとを含み、前記傘布と、前記ハンドルは一本の傘に組み立て、傘を前記連接機構の中に固定でき、前記連接機構には前記固定機構と係合できる固定棒状体が設置されており、前記固定棒状体には左右に貫通する固定穴が設置されており、前記固定棒状体を前記取付穴の中に差し込むと固定を実現でき、前記ノブを回すことで角度を調節できることを特徴とする組立式運動アームバッグ。
【請求項２】
前記取付ブロックの中にはスライドチャンバが設置されており、前記スライドチャンバの左壁にはスライド溝が設置されており、前記スライド溝の中にはスライダがスライドできるように設置されており、前記スライダと前記スライド溝の底壁の間には戻し撥条が接続されており、前記スライダの右端面には中間棒が接続されており、前記中間棒の上端面には前記取付穴の中に伸びている支持棒が固定的に設置されており、前記取付ブロックの中には前記取付穴と連通する収納溝が接続されており、前記収納溝は前記スライドチャンバと連通し、前記中間棒の上端面には前記収納溝の中に伸びている位置制限棒が固定的に設置されており、前記収納溝の中には差込棒状体がスライドできるように設置されており、前記差込棒状体の下端面には位置制限溝が設置されており、前記位置制限棒が前記位置制限溝の中に差し込み、前記差込棒状体と前記収納溝の右壁の間には力蓄え撥条が接続されており、前記差込棒状体の右端面には外部に伸びている連接棒が固定的に設置されており、前記連接棒のうち外部に位置する一端にはボタンが固定的に設置されており、前記固定棒状体が前記取付穴の中に差し込まれると前記支持棒が下へ押えられ、前記位置制限棒は前記位置制限溝と離脱し、前記差込棒状体は前記力蓄え撥条によって前記固定穴の中に差し込まれて固定されることを特徴とする請求項１に記載の組立式運動アームバッグ。
【請求項３】
前記連接機構はメイン固定ボード及び副固定ボードを含み、前記副固定ボードと前記メイン固定ボードの間が蝶番によって接続されており、前記メイン固定ボードと副固定ボードの中には置き槽が設置されており、前記メイン固定ボードと前記副固定ボードには位置決めブロックが固定的に設置されており、前記位置決めブロックの中には上下に貫通する位置決め溝が設置されており、前記メイン固定ボードには係合引掛り溝が設置されており、前記副固定ボードにはロックブロックが設置されており、前記副固定ボードには前記ロックブロックを制御できるスイッチが設置されており、使用する時、前記ハンドルを前記置き槽の中に置き、前記メイン固定ボードを前記副固定ボードと密着させて前記係合引掛り溝を前記ロックブロックと係合して係止させ、前記傘ロッドを前記位置決め溝の中に置き、充分に固定して揺れるのを防止できることを特徴とする請求項１に記載の組立式運動アームバッグ。
【請求項４】
前記収納バッグにはファスナーが設置されていることを特徴とする請求項１に記載の組立式運動アームバッグ。
【手続補正２】
【補正対象書類名】明細書
【補正対象項目名】全文
【補正方法】変更
【補正の内容】
【発明の詳細な説明】
【技術分野】
【０００１】
本発明はアームバッグ技術分野を取り上げて、具体的には組立式運動アームバッグである。
【背景技術】
【０００２】
日光が充分な天気に運動すれば日焼け防止する必要あり、運動中には汗がかくため日焼け止めが効果を発揮しにくく、それに運動中には傘をさして日焼け防止するのも難しく、日焼け防止功能とアームバッグとを合わせれば上記問題を解決できる。
【先行技術文献】
【特許文献】
【０００３】
【特許文献１】中国特許出願公開第１０９０４３７６３号明細書
【発明の概要】
【発明が解決しようとする課題】
【０００４】
上記技術の不足に対して、本発明は組立式運動アームバッグを提出し、上記欠点を克服する。
【課題を解決するための手段】
【０００５】
本発明装置の組立式運動アームバッグはアームバンド装置及び前記アームバンド装置と組み立てられる収納バッグを含み、前記アームバンド装置は前固定バンドと、後固定バンドと、前記前固定バンドに設置される固定機構とを含み、前記前固定バンドと前記後固定バンドとが密着し、前記前固定バンドと前記後固定バンドの間には上下に貫通する組立穴が設置されており、前記収納バッグの後端面には組立ボードが設置されており、前記組立ボードは一定な弾性があり、前記収納バッグの後端面には固定引掛り溝が設置されており、前記組立ボードは前記組立穴を通じて前記固定引掛り溝と係合されて係止でき、前記固定機構の中には前記前固定バンドの前端面に固定的に設置される調節ブロックを含み、前記調節ブロックの中には調節チャンバが設置されており、前記調節チャンバの中には歯車軸が回転できるように設置されており、前記歯車軸には歯車が固定的に設置されており、前記歯車の上端には取付ブロックが固定的に設置されており、前記取付ブロックの中には取付穴が設置されており、前記調節ブロックの中にはリードスクリューチャンバが設置されており、前記リードスクリューの中にはリードスクリューが回転できるように設置されており、前記リードスクリューチャンバの底壁にはレイルが設置されており、前記レイルの中にはガイドブロックがスライドできるように設置されており、前記ガイドブロックには前記リードスクリューとネジ山により係合されるラックが接続されており、前記ラックと前記歯車とが噛み合い、前記リードスクリューのうち前記調節ブロックの右側に伸びている一端にはノブが固定的に設置されており、前記アームバンド装置には遮り装置を組み立てることができ、前記遮り装置の中には連接機構と、傘布と、シャフトと、ハンドルとを含み、前記傘布と、前記ハンドルは一本の傘に組み立て、傘を前記連接機構の中に固定でき、前記連接機構には前記固定機構と係合できる固定棒状体が設置されており、前記固定棒状体には左右に貫通する固定穴が設置されており、前記固定棒状体を前記取付穴の中に差し込むと固定を実現でき、前記ノブを回すことで角度を調節できる。
【０００６】
更なる技術方案、前記取付ブロックの中にはスライドチャンバが設置されており、前記スライドチャンバの左壁にはスライド溝が設置されており、前記スライド溝の中にはスライダがスライドできるように設置されており、前記スライダと前記スライド溝の底壁の間には戻し撥条が接続されており、前記スライダの右端面には中間棒が接続されており、前記中間棒の上端面には前記取付穴の中に伸びている支持棒が固定的に設置されており、前記取付ブロックの中には前記取付穴と連通する収納溝が接続されており、前記収納溝は前記スライドチャンバと連通し、前記中間棒の上端面には前記収納溝の中に伸びている位置制限棒が固定的に設置されており、前記収納溝の中には差込棒状体がスライドできるように設置されており、前記差込棒状体の下端面には位置制限溝が設置されており、前記位置制限棒が前記位置制限溝の中に差し込み、前記差込棒状体と前記収納溝の右壁の間には力蓄え撥条が接続されており、前記差込棒状体の右端面には外部に伸びている連接棒が固定的に設置されており、前記連接棒のうち外部に位置する一端にはボタンが固定的に設置されており、前記固定棒状体が前記取付穴の中に差し込まれると前記支持棒が下へ押えられ、前記位置制限棒は前記位置制限溝と離脱し、前記差込棒状体は前記力蓄え撥条によって前記固定穴の中に差し込まれて固定される。
【０００７】
更なる技術方案、前記連接機構はメイン固定ボード及び副固定ボードを含み、前記副固定ボードと前記メイン固定ボードの間が蝶番によって接続されており、前記メイン固定ボードと副固定ボードの中には置き槽が設置されており、前記メイン固定ボードと前記副固定ボードには位置決めブロックが固定的に設置されており、前記位置決めブロックの中には上下に貫通する位置決め溝が設置されており、前記メイン固定ボードには係合引掛り溝が設置されており、前記副固定ボードにはロックブロックが設置されており、前記副固定ボードには前記ロックブロックを制御できるスイッチが設置されており、使用する時、前記ハンドルを前記置き槽の中に置き、前記メイン固定ボードを前記副固定ボードと密着させて前記係合引掛り溝を前記ロックブロックと係合して係止させ、前記傘ロッドを前記位置決め溝の中に置き、充分に固定して揺れるのを防止できる。
【０００８】
更なる技術方案、前記収納バッグにはファスナーが設置されている。
【発明の効果】
【０００９】
本発明の有益な効果は下記の通りである：
【００１０】
本発明は結構が簡単で、使用が便利で、遮り機構をアームバンドに取り付けることで運動中に日焼け防止の効果に至り、日焼け防止傘は手で持つ必要なく、使用者が運動するのを邪魔せず、同時に本発明は使用過程中にはニーズに応じて相応の部品を組み立て、アームバッグの実用性を大きく高める。
【図面の簡単な説明】
【００１１】
以下、図１−７について本発明を詳しく説明し、便利に叙述するように、現在は後文に出る方位を下記の通りに規定する：後文に出る上下左右前後方向は図１本体の投影関係の上下左右前後方向と一致する。
【図１】図１は本発明の組立式運動アームバッグの全体構成模式図
【図２】図２は図１の中の遮り装置１００の構成模式図
【図３】図３は図２の中の連接機構１０１の構成模式図
【図４】図４は図１のアームバンド装置２００の構成模式図
【図５】図５は図４のＡ−Ａの断面図
【図６】図６は図４のＢ−Ｂの断面図
【図７】図７は図４の背面図
【発明を実施するための形態】
【００１２】
以下は付図説明と実施例を結合して、本発明に対してさらなる説明し、本発明の方式は以下の実施例を含みだがそれに限らない。
【００１３】
図１−７に示されるように、本発明装置の組立式運動アームバッグはアームバンド装置２００及び前記アームバンド装置２００と組み立てられる収納バッグ１５を含み、前記アームバンド装置２００は前固定バンド１３と、後固定バンド５２と、前記前固定バンド１３に設置される固定機構２０１とを含み、前記前固定バンド１３と前記後固定バンド５２とが密着し、前記前固定バンド１３と前記後固定バンド５２の間には上下に貫通する組立穴５０が設置されており、前記収納バッグ１５の後端面には組立ボード５１が設置されており、前記組立ボード５１は一定な弾性があり、前記収納バッグ１５の後端面には固定引掛り溝５３が設置されており、前記組立ボード５１は前記組立穴５０を通じて前記固定引掛り溝５３と係合されて係止でき、前記固定機構２０１の中には前記前固定バンド１３の前端面に固定的に設置される調節ブロック２４を含み、前記調節ブロック２４の中には調節チャンバ４２が設置されており、前記調節チャンバ４２の中には歯車軸３６が回転できるように設置されており、前記歯車軸３６には歯車３７が固定的に設置されており、前記歯車３７の上端には取付ブロック２５が固定的に設置されており、前記取付ブロック２５の中には取付穴２６が設置されており、前記調節ブロック２４の中にはリードスクリューチャンバ４３が設置されており、前記リードスクリュー４３の中にはリードスクリュー４７が回転できるように設置されており、前記リードスクリューチャンバ４３の底壁にはレイル４４が設置されており、前記レイル４４の中にはガイドブロック４５がスライドできるように設置されており、前記ガイドブロック４５には前記リードスクリュー４７とネジ山により係合されるラック４６が接続されており、前記ラックと前記歯車３７とが噛み合い、前記リードスクリュー４７のうち前記調節ブロック２４の右側に伸びている一端にはノブ４８が固定的に設置されており、前記アームバンド装置２００には遮り装置１００を組み立てることができ、前記遮り装置１００の中には連接機構１０１と、傘布１０と、シャフト１１と、ハンドル５４とを含み、前記傘布１０と、前記ハンドル５４は一本の傘に組み立て、傘を前記連接機構１０１の中に固定でき、前記連接機構１０１には前記固定機構２０１と係合できる固定棒状体１７が設置されており、前記固定棒状体１７には左右に貫通する固定穴１６が設置されており、前記固定棒状体１７を前記取付穴２６の中に差し込むと固定を実現でき、前記ノブ４８を回すことで角度を調節できる。
【００１４】
有益なように、前記取付ブロック２５の中にはスライドチャンバ３５が設置されており、前記スライドチャンバ３５の左壁にはスライド溝４１が設置されており、前記スライド溝４１の中にはスライダ４０がスライドできるように設置されており、前記スライダ４０と前記スライド溝４１の底壁の間には戻し撥条３９が接続されており、前記スライダ４０の右端面には中間棒３８が接続されており、前記中間棒３８の上端面には前記取付穴２６の中に伸びている支持棒４９が固定的に設置されており、前記取付ブロック２５の中には前記取付穴２６と連通する収納溝２７が接続されており、前記収納溝２７は前記スライドチャンバ３５と連通し、前記中間棒３８の上端面には前記収納溝２７の中に伸びている位置制限棒３４が固定的に設置されており、前記収納溝２７の中には差込棒状体２８がスライドできるように設置されており、前記差込棒状体２８の下端面には位置制限溝３３が設置されており、前記位置制限棒３４が前記位置制限溝３３の中に差し込み、前記差込棒状体２８と前記収納溝２７の右壁の間には力蓄え撥条２９が接続されており、前記差込棒状体２８の右端面には外部に伸びている連接棒３２が固定的に設置されており、前記連接棒３２のうち外部に位置する一端にはボタン３１が固定的に設置されており、前記固定棒状体17が前記取付穴26の中に差し込まれると前記支持棒49が下へ押えられ、前記位置制限棒34は前記位置制限溝33と離脱し、前記差込棒状体28は前記力蓄え撥条29によって前記固定穴16の中に差し込まれて固定される。
【００１５】
有益なように、前記連接機構１０１はメイン固定ボード５７及び副固定ボード５８を含み、前記副固定ボード５８と前記メイン固定ボード５７の間が蝶番１９によって接続されており、前記メイン固定ボード５７と副固定ボード５８の中には置き槽２２が設置されており、前記メイン固定ボード５７と前記副固定ボード５８には位置決めブロック２１が固定的に設置されており、前記位置決めブロック２１の中には上下に貫通する位置決め溝２０が設置されており、前記メイン固定ボード５７には係合引掛り溝２３が設置されており、前記副固定ボード５８にはロックブロック１８が設置されており、前記副固定ボード５８には前記ロックブロック１８を制御できるスイッチ５５が設置されており、使用する時、前記ハンドル５４を前記置き槽２２の中に置き、前記メイン固定ボード５７を前記副固定ボードと密着させて前記係合引掛り溝２３を前記ロックブロック１８と係合して係止させ、前記傘ロッド１１を前記位置決め溝２０の中に置き、充分に固定して揺れるのを防止できる。
【００１６】
有益なように、前記収納バッグ１５にはファスナー１２が設置されている。
【００１７】
前記組立式運動アームバッグの実現する方法は、以下順序を含み：
【００１８】
使用する時、ニーズに応じて前記遮り装置１００又は前記収納バッグ１５を前記アームバンド２００に組み立て、収納バッグ１５を組み立てる時、前記組立ボード５１を前記組立穴５０の中に差し込み、前記組立ボード５１の下端を前記固定引掛り溝５３と係合して固定させ、前記ハンドル５４を前記置き槽２２の中に置き、前記シャフト１１を前記位置決め溝２０の中に置き、前記係合引掛り溝２３を前記ロックブロック１８と係合して係止させ、前記固定棒状体１７を前記取付穴２６の中に差し込み、前記固定棒状体１７は前記支持棒４９を下に押え、前記支持棒４９は前記中間棒３８によって前記位置制限棒３４を下降連動させ、前記位置制限棒３４と前記位置制限溝３３とが離脱し、前記差込棒状体２８は前記力蓄え撥条２９によって前記固定穴１６に差し込んで固定し、前記前固定バンド１３と前記後固定バンド５２をアームに固定すれば使用でき、前記傘布１０の遮り角度を調整する時、前記ノブ４８を回して前記リードスクリュー４７を回転連動させ、前記リードスクリュー４７は前記ラック４６を移動連動させ、前記歯車３７が前記取付ブロック２５を回転連動させ、角度調整を実現する。
【００１９】
前記収納バッグ１５を外す時、前記組立ボード５１と前記固定引掛り溝５３を離脱させれば前記収納バッグ１５を取り外せる。
【００２０】
前記遮り装置１００を外す時、前記ボタン３１を外へ引っ張って前記連接棒３２によって前記収納溝２７を前記固定穴１６と離脱させ、前記固定棒状体を引き出し、前記戻し撥条３９が前記中間棒３８を押えて前記位置制限棒３４を前記位置制限溝３３の中に差し込み連動させ、前記スイッチ５５を押して前記ロックブロック１８を前記係合引掛り溝２３と離脱させ、傘を取り出せばいい。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和2年2月11日(2020.2.11)
【手続補正１】
【補正対象書類名】図面
【補正対象項目名】図４
【補正方法】変更
【補正の内容】
【図４】
2020175080.tif 000010